(57)【特許請求の範囲】
【請求項１】
太陽光パネルを支持するフレーム部材と、
前記フレーム部材を支持し、かつ、前記フレーム部材から基礎に向けて下方に延在する複数の支柱と、を備え、
前記フレーム部材と前記支柱の上端部とは、第一固定部材を介して固定され、
前記支柱の下端部と前記基礎とは、第二固定部材を介して固定され、
前記支柱の上端部に装着された第一固定部材と、この支柱と隣り合う前記支柱の下端部に装着された第二固定部材との間には、斜材が架け渡され、
前記斜材は、長手方向に直交する断面が閉断面となる筒状の中空材から構成され、
前記斜材は、前記第一固定部材および前記第二固定部材に、連結部材を介してそれぞれ固定され、
前記連結部材は、前記斜材に固定するためのボルトが挿通される第一ボス部と、前記第一固定部材または前記第二固定部材に固定するためのボルトが挿通される第二ボス部と、を有し、
前記連結部材における前記第一ボス部側の端部が、前記斜材における前記中空材の内方に配置され、前記連結部材の前記第一ボス部は、前記中空材の内側の面に固定される
ことを特徴とする太陽光パネル用架台。
【請求項２】
前記斜材は、断面四角形の筒状の中空材から構成され、
前記斜材における４つの辺部のうちの１つの辺部に厚肉部が形成され、
前記厚肉部には、前記連結部材を固定するためのボルト孔が形成されている
ことを特徴とする請求項１に記載の太陽光パネル用架台。
【請求項３】
太陽光パネルを支持するフレーム部材と、
前記フレーム部材を支持し、かつ、前記フレーム部材から基礎に向けて下方に延在する複数の支柱と、を備え、
前記フレーム部材と前記支柱の上端部とは、第一固定部材を介して固定され、
前記支柱の下端部と前記基礎とは、第二固定部材を介して固定され、
前記支柱の上端部に装着された第一固定部材と、この支柱と隣り合う前記支柱の下端部に装着された第二固定部材との間には、斜材が架け渡され、
前記斜材は、長手方向に直交する断面が閉断面となる筒状の中空材から構成され、
前記第一固定部材は、前記フレーム部材と前記支柱との突合せ部分を両側から挟み込み、通しボルトで連結される一対のガセットプレートからなり、
前記ガセットプレートは、前記フレーム部材と前記支柱とに沿う平板部と、この平板部から直角に突出する突出板部とを備えたＴ型ガセットプレートであり、
前記平板部および前記突出板部には、複数のボルト孔がそれぞれ形成されている
ことを特徴とする太陽光パネル用架台。
【請求項４】
太陽光パネルを支持するフレーム部材と、
前記フレーム部材を支持し、かつ、前記フレーム部材から基礎に向けて下方に延在する複数の支柱と、を備え、
前記フレーム部材と前記支柱の上端部とは、第一固定部材を介して固定され、
前記支柱の下端部と前記基礎とは、第二固定部材を介して固定され、
前記支柱の上端部に装着された第一固定部材と、この支柱と隣り合う前記支柱の下端部に装着された第二固定部材との間には、斜材が架け渡され、
前記斜材は、長手方向に直交する断面が閉断面となる筒状の中空材から構成され、
前記第二固定部材は、前記支柱の下端部を囲い込む支柱囲繞壁部と、前記基礎に固定するためのボルトが挿通されるボス部と、を有し、
前記支柱囲繞壁部および前記ボス部の少なくとも一方に、取付ブラケット部が張り出して設けられ、
前記取付ブラケット部には、太陽光パネル用架台の構成部材を固定するためのボルト孔が形成されている
ことを特徴とする太陽光パネル用架台。
【請求項５】
前記取付ブラケット部は、前記斜材の下端部が固定される部位であることを特徴とする請求項４に記載の太陽光パネル用架台。
【請求項６】
前記取付ブラケット部は、前記第二固定部材に複数設けられ、
前記複数の取付ブラケット部のうちの少なくとも２つの取付ブラケット部は、互いに直交する方向に配置されている
ことを特徴とする請求項４に記載の太陽光パネル用架台。
【請求項７】
前記フレーム部材、前記支柱、前記斜材、前記第一固定部材および前記第二固定部材は、アルミニウム合金製の押出形材からなることを特徴とする請求項１から６のいずれか一項に記載の太陽光パネル用架台。
【請求項８】
前記斜材は、断面四角形の筒状の中空材から構成され、
前記斜材における４つの辺部のうちの１つの辺部に厚肉部が形成され、
前記厚肉部には、前記第一固定部材および前記第二固定部材を固定するためのボルト孔が形成されている
ことを特徴とする請求項１に記載の太陽光パネル用架台。
【発明の詳細な説明】
【技術分野】
【０００１】
本発明は、太陽光パネル用架台に関する。
【背景技術】
【０００２】
従来から、太陽光パネルを設置するための太陽光パネル用の架台が公知である（例えば、特許文献１参照）。この太陽光パネル用架台においては、強度および施工性などについて度重なる改良が行われ、また特に、積雪地域向けの製品も開発されてきた。
【先行技術文献】
【特許文献】
【０００３】
【特許文献１】特開２０１２−９４６０７号公報
【発明の概要】
【発明が解決しようとする課題】
【０００４】
しかしながら、前記特許文献１の太陽光パネル用架台では、太陽光パネル用架台の幅方向または奥行き方向に隣り合う支柱間に斜材が架け渡されており、この斜材が薄板状に形成されているため、積雪や、地震などによる振動が太陽光パネル用架台に及ぼす影響が懸念されるという問題があった。
【０００５】
そこで、本発明は、積雪や、地震などによる振動に耐え得る強度を有する太陽光パネル用架台を提供することを目的とする。
【課題を解決するための手段】
【０００６】
本発明に係る太陽光パネル用架台は、太陽光パネルを支持するフレーム部材と、前記フレーム部材を支持し、かつ、前記フレーム部材から基礎に向けて下方に延在する複数の支柱と、を備える。前記フレーム部材と前記支柱の上端部とは、第一固定部材を介して固定され、前記支柱の下端部と前記基礎とは、第二固定部材を介して固定される。前記支柱の上端部に装着された第一固定部材と、この支柱と隣り合う前記支柱の下端部に装着された第二固定部材との間には、斜材が架け渡され、前記斜材は、長手方向に直交する断面が閉断面となる筒状の中空材から構成される。前記斜材は、前記第一固定部材および前記第二固定部材に、連結部材を介してそれぞれ固定される。前記連結部材は、前記斜材に固定するためのボルトが挿通される第一ボス部と、前記第一固定部材または前記第二固定部材に固定するためのボルトが挿通される第二ボス部と、を有する。前記連結部材における前記第一ボス部側の端部が、前記斜材における前記中空材の内方に配置され、前記連結部材の前記第一ボス部は、前記中空材の内側の面に固定される。
本発明に係る太陽光パネル用架台は、太陽光パネルを支持するフレーム部材と、前記フレーム部材を支持し、かつ、前記フレーム部材から基礎に向けて下方に延在する複数の支柱と、を備える。前記フレーム部材と前記支柱の上端部とは、第一固定部材を介して固定され、前記支柱の下端部と前記基礎とは、第二固定部材を介して固定される。前記支柱の上端部に装着された第一固定部材と、この支柱と隣り合う前記支柱の下端部に装着された第二固定部材との間には、斜材が架け渡され、前記斜材は、長手方向に直交する断面が閉断面となる筒状の中空材から構成される。前記第一固定部材は、前記フレーム部材と前記支柱との突合せ部分を両側から挟み込み、通しボルトで連結される一対のガセットプレートからなる。前記ガセットプレートは、前記フレーム部材と前記支柱とに沿う平板部と、この平板部から直角に突出する突出板部とを備えたＴ型ガセットプレートであり、前記平板部および前記突出板部には、複数のボルト孔がそれぞれ形成されている。
本発明に係る太陽光パネル用架台は、太陽光パネルを支持するフレーム部材と、前記フレーム部材を支持し、かつ、前記フレーム部材から基礎に向けて下方に延在する複数の支柱と、を備える。前記フレーム部材と前記支柱の上端部とは、第一固定部材を介して固定され、前記支柱の下端部と前記基礎とは、第二固定部材を介して固定される。前記支柱の上端部に装着された第一固定部材と、この支柱と隣り合う前記支柱の下端部に装着された第二固定部材との間には、斜材が架け渡され、前記斜材は、長手方向に直交する断面が閉断面となる筒状の中空材から構成される。前記第二固定部材は、前記支柱の下端部を囲い込む支柱囲繞壁部と、前記基礎に固定するためのボルトが挿通されるボス部と、を有する。前記支柱囲繞壁部および前記ボス部の少なくとも一方に、取付ブラケット部が張り出して設けられ、前記取付ブラケット部には、太陽光パネル用架台の構成部材を固定するためのボルト孔が形成されている。
【発明の効果】
【０００７】
本発明に係る太陽光パネル用架台では、斜材が中空材から構成されていることにより、斜材の変形を抑制することができる。つまり、太陽光パネルやフレーム部材などに作用する荷重が比較的大きい場合でも、その荷重を斜材によって支持することができる。また、前記斜材を支柱に直接固定するのではなく、第一固定部材または第二固定部材を介して支柱に固定することにより、支柱への応力集中を緩和することができ、支柱の変形も抑制することができる。従って、本発明によれば、積雪や、地震などによる振動に耐え得る強度を有する太陽光パネル用架台を提供することができる。
【図面の簡単な説明】
【０００８】
【図１】本発明の実施形態に係る太陽光パネル用架台の要部を示す斜視図である。
【図２】本発明の実施形態に係る太陽光パネル用架台の要部を示す斜視図であり、斜材が固定される前の状態を示す。
【図３】本発明の実施形態に係る太陽光パネル用架台の部分拡大正面図である。
【図４】本発明の実施形態に係る太陽光パネル用架台の部分拡大側断面図である。
【図５】斜材の斜視図である。
【図６】連結部材の斜視図である。
【図７】斜材と連結部材とを固定した状態を示す斜視図である。
【発明を実施するための形態】
【０００９】
以下、本発明の実施形態を図面と共に詳述する。なお、図面において、矢印Ｗは太陽光パネル用架台の幅方向（横方向）を示し、矢印Ｄは太陽光パネル用架台の奥行き方向（縦方向）を示し、矢印Ｈは太陽光パネル用架台の高さ方向を示す。
【００１０】
図１から図４に示すように、本実施形態に係る太陽光パネル用架台１は、太陽光パネル（図示せず）を設置するための太陽光パネル用の架台である。この太陽光パネル用架台１は、垂木（図示せず）を介して太陽光パネルを支持する垂木受け（フレーム部材）１１と、垂木受け１１を支持し、かつ、垂木受け１１から基礎（図示せず）に向けて下方に延在する複数の支柱１２と、を備える。
【００１１】
垂木は、図示はしないが、垂木受け１１の上に架け渡されて、太陽光パネル用架台１の奥行き方向Ｄに延在する。この垂木は、長手方向に直交する断面が閉断面となる筒状の中空材から構成される。また、垂木は、アルミニウム合金製の押出形材からなる。
【００１２】
垂木受け１１は、太陽光パネル用架台１の幅方向Ｗに延在している。この垂木受け１１は、断面略矩形の筒状の中空材から構成されており、上面、下面および両側面を有する。また、垂木受け１１は、アルミニウム合金製の押出形材からなる。垂木受け１１の上部には、図示しない連結部材が固定され、この連結部材の上面部に垂木が載置される。
【００１３】
垂木受け１１の両側面の下部にはそれぞれ、垂木受け１１とガセットプレート（第一固定部材）１６とを固定するために用いられるボルト１３の頭部を収容する収容溝１４が垂木受け１１の長手方向に沿って形成されている。この収容溝１４は、垂木受け１１の側面の下端部に全長に亘って設けられている。前記ボルト１３は六角ボルトであり、収容溝１４の幅は、このボルト１３の二面幅よりも広く、このボルト１３の対角距離よりも狭くなっている。このように構成することにより、収容溝１４は、ボルト１３の回転を規制する回り止めとして機能する。さらに、収容溝１４の開口端には、収容溝１４の両側部から互いに対向するようにそれぞれ突出する突出部１５が一対に形成されている。これらの一対の突出部１５，１５同士の間隔は、ボルト１３の軸部の外径よりも広く、ボルト１３の頭部の外径よりも狭くなっている。このように構成することにより、一対の突出部１５，１５は、収容溝１４からのボルト１３の脱落を防止する脱落止めとして機能する。
【００１４】
支柱１２は、図示はしないが、太陽光パネル用架台１の幅方向Ｗに２本、太陽光パネル用架台１の奥行き方向Ｄに２本がそれぞれ配置されて、合計４本が配置される。この支柱１２は、断面略矩形の筒状の中空材から構成されている。また、支柱１２は、アルミニウム合金製の押出形材からなる。
【００１５】
垂木受け１１と支柱１２の上端部とは、ガセットプレート１６を介して固定され、支柱１２の下端部と基礎とは、ファスナー部材（第二固定部材）１７および第三固定部材１８を介して固定されている。
【００１６】
ガセットプレート１６は、垂木受け１１と支柱１２との突合せ部分を両側から挟み込み、通しボルト１９で連結される一対のＴ型ガセットプレート２０，２０からなる。
【００１７】
Ｔ型ガセットプレート２０は、アルミニウム合金製の押出形材からなり、押出方向が支柱１２の長手方向（太陽光パネル用架台１の高さ方向Ｈ）に沿うように配置されている。このＴ型ガセットプレート２０は、垂木受け１１と支柱１２とに沿う平板部２１と、この平板部２１から直角に突出する突出板部２２と、を備えて構成されており、断面略Ｔ字形状に形成されている。
【００１８】
平板部２１には、上段に３つ、下段に２つのボルト孔２３が形成されている。上段の３つのボルト孔２３には、垂木受け１１の収容溝１４から突出するボルト１３の軸部が挿通される。下段の２つのボルト孔２３のうち、Ｔ型ガセットプレート２０の幅方向中央のボルト孔２３には、前記通しボルト１９が挿通される。下段の２つのボルト孔２３のうち、Ｔ型ガセットプレート２０の幅方向外方側のボルト孔２３は、垂木受け１１および支柱１２のいずれにも対向しない部分に形成されている。
【００１９】
突出板部２２は、平板部２１の幅方向の中間部から横方向にオフセットされており、平板部２１における上段で隣り合うボルト孔２３，２３間に形成されている。この突出板部２２には、ボルト孔２４が形成されている。ボルト孔２４は、平板部２１における上下２段のボルト孔２３，２３間の高さ位置に形成されている。このボルト孔２４には、複数の支柱１２間に架け渡される斜材２５を固定するためのボルト２６が挿通される。
【００２０】
ファスナー部材１７は、アルミニウム合金製の押出形材からなり、押出方向が支柱１２の長手方向（太陽光パネル用架台１の高さ方向Ｈ）に沿うように配置されている。このファスナー部材１７は、支柱１２の下端部を囲い込む支柱囲繞壁部２７と、第三固定部材１８を介して基礎に固定するためのボルト２８が挿通されるボス部２９と、支柱囲繞壁部２７およびボス部２９の少なくとも一方から張り出して設けられる取付ブラケット部３０と、支柱囲繞壁部２７とボス部２９とを連結する連結部３１と、を有する。
【００２１】
支柱囲繞壁部２７は、支柱１２の下端部が固定される部位である。支柱囲繞壁部２７は、断面略矩形の筒状に形成されており、この支柱囲繞壁部２７の内方に支柱１２の下端部が挿入されている。支柱囲繞壁部２７と支柱１２の下端部とは、通しボルト３２を用いて固定される。
【００２２】
取付ブラケット部３０は、太陽光パネル用架台１の構成部材である斜材２５の下端部が固定される部位である。取付ブラケット部３０は、ファスナー部材１７に複数設けられ、複数の取付ブラケット部３０のうち、少なくとも２つの取付ブラケット部３０は、互いに直交する方向に配置されている。また、取付ブラケット部３０には、ボルト孔３３が形成されている。このボルト孔３３には、太陽光パネル用架台１の構成部材である連結部材３４を固定するためのボルト２６が挿通される。
【００２３】
第三固定部材１８は、アルミニウム合金製の押出形材からなり、押出方向が太陽光パネル用架台１の奥行き方向Ｄに沿うように配置されている。第三固定部材１８は、基礎に固定されており、この第三固定部材１８の上面部にファスナー部材１７がボルト２８を用いて固定されている。なお、第三固定部材１８を介することなく、ファスナー部材１７を基礎に直接固定するようにしてもよい。
【００２４】
支柱１２の上端部に装着されたガセットプレート１６と、この支柱１２と太陽光パネル用架台１の幅方向Ｗまたは奥行き方向Ｄに隣り合う支柱１２の下端部に装着されたファスナー部材１７との間には、斜材２５が架け渡されている。
【００２５】
図５に示すように、斜材２５は、断面四角形の筒状の中空材から構成されている。また、斜材２５は、アルミニウム合金製の押出形材からなる。斜材２５は、ガセットプレート１６およびファスナー部材１７に、連結部材３４を介してそれぞれ固定される。斜材２５における４つの辺部のうちの１つの辺部に、厚肉部３５が形成され、厚肉部３５には、連結部材３４を固定するためのボルト孔３６が形成される。厚肉部３５は、斜材２５の全長に亘って形成されている。また、この厚肉部３５の端部に、２つのボルト孔３６，３６が斜材２５の幅方向に間隔をおいて設けられている。
【００２６】
図６に示すように、連結部材３４は、断面略三角形の筒状の中空材から構成されている。また、連結部材３４は、アルミニウム合金製の押出形材からなり、押出方向が斜材２５の長手方向と直交するように配置されている。連結部材３４は、斜材２５に固定するためのボルト３７が挿通される２つの第一ボス部３８，３８と、ガセットプレート１６またはファスナー部材１７に固定するためのボルト２６が挿通される第二ボス部３９と、を有する。２つの第一ボス部３８，３８と第二ボス部３９とは、第一連結部４０を介してそれぞれ連結されており、これらの第一連結部４０，４０は、第一ボス部３８から離れるに従って互いに近づくように延在している。また、２つの第一ボス部３８，３８同士は、第二連結部４１を介して連結されている。
【００２７】
図７に示すように、連結部材３４における第一ボス部３８側の端部を斜材２５の内方に挿入し、連結部材３４に形成された第一ボス部３８をボルト３７およびナット４２を用いて斜材２５の厚肉部３５に固定する。一方、連結部材３４に形成された第二ボス部３９は、ボルト２６およびナット４３を用いてＴ型ガセットプレート２０またはファスナー部材１７に固定する。このようにすることにより、支柱１２の上端部に装着されたガセットプレート１６（Ｔ型ガセットプレート２０）と、この支柱１２と太陽光パネル用架台１の幅方向Ｗまたは奥行き方向Ｄに隣り合う支柱１２の下端部に装着されたファスナー部材１７との間に斜材２５を容易に架け渡すことができる。
【００２８】
以下に、本実施形態による作用効果を説明する。
【００２９】
（１）本実施形態に係る太陽光パネル用架台１は、太陽光パネルを支持する垂木受け（フレーム部材）１１と、垂木受け１１を支持し、かつ、垂木受け１１から基礎に向けて下方に延在する複数の支柱１２と、を備える。垂木受け１１と支柱１２の上端部とは、ガセットプレート（第一固定部材）１６を介して固定され、支柱１２の下端部と基礎とは、ファスナー部材（第二固定部材）１７を介して固定される。支柱１２の上端部に装着されたガセットプレート１６と、この支柱１２と隣り合う支柱１２の下端部に装着されたファスナー部材１７との間には、斜材２５が架け渡され、斜材２５は、長手方向に直交する断面が閉断面となる筒状の中空材から構成される。
【００３０】
本実施形態に係る太陽光パネル用架台１においては、斜材２５が中空材（ホロー材）から構成されていることにより、斜材２５の変形を抑制することができる。つまり、太陽光パネルや垂木受け１１などに作用する荷重が比較的大きい場合でも、その荷重を斜材２５によって支持することができる。また、斜材２５を支柱１２に直接固定するのではなく、ガセットプレート１６またはファスナー部材１７を介して支柱１２に固定することにより、支柱１２への応力集中を緩和することができ、支柱１２の変形も抑制することができる。従って、本実施形態によれば、積雪や、地震などによる振動に耐え得る強度を有する太陽光パネル用架台１を提供することができる。
【００３１】
（２）斜材２５は、ガセットプレート１６およびファスナー部材１７に、連結部材３４を介してそれぞれ固定され、連結部材３４は、斜材２５に固定するためのボルト３７が挿通される第一ボス部３８と、ガセットプレート１６またはファスナー部材１７に固定するためのボルト２６が挿通される第二ボス部３９と、を有する。
【００３２】
斜材２５を他の部材（Ｔ型ガセットプレート２０、ファスナー部材１７）に直接固定する場合、ボルト２６，３７およびナット４２，４３を介して行うこととなるため、その作業性を考慮すると、斜材２５の両端部に切欠きを設けるなどする必要がある。中空材から構成される斜材２５への切欠きの付与は、やや複雑な加工が必要とされる。
【００３３】
これに対して、斜材２５を他の部材（Ｔ型ガセットプレート２０、ファスナー部材１７）に連結部材３４を介して固定するようにすれば、中空材から構成される斜材２５に切欠きを付与する必要はなくなる。連結部材３４における第一ボス部３８側の端部を斜材２５の内方に挿入し、連結部材３４に形成された第一ボス部３８をボルト３７およびナット４２を用いて斜材２５に固定する、一方、連結部材３４に形成された第二ボス部３９は、ボルト２６およびナット４３を用いてガセットプレート１６またはファスナー部材１７に固定する。このようにすることにより、支柱１２の上端部に装着されたガセットプレート１６（Ｔ型ガセットプレート２０）と、この支柱１２と太陽光パネル用架台１の幅方向Ｗまたは奥行き方向Ｄに隣り合う支柱１２の下端部に装着されたファスナー部材１７との間に斜材２５を容易に架け渡すことができる。
【００３４】
（３）斜材２５は、断面四角形の筒状の中空材から構成される。斜材２５における４つの辺部のうちの１つの辺部に厚肉部３５が形成され、厚肉部３５には、連結部材３４を固定するためのボルト孔３６が形成される。
【００３５】
これにより、斜材２５における連結部材３４との固定部の強度を高くすることができ、斜材２５と連結部材３４とを強固に固定することができる。
【００３６】
（４）ガセットプレート１６は、垂木受け１１と支柱１２との突合せ部分を両側から挟み込み、通しボルト１９で連結される一対のガセットプレートからなる。ガセットプレートは、垂木受け１１と支柱１２とに沿う平板部２１と、この平板部２１から直角に突出する突出板部２２とを備えたＴ型ガセットプレート２０であり、平板部２１および突出板部２２には、複数のボルト孔２３，２４がそれぞれ形成される。
【００３７】
これにより、Ｔ型ガセットプレート２０の平板部２１に沿った方向と、突出板部２２に沿った方向との２方向に沿って斜材２５を配設することができる。これによって、例えば、太陽光パネル用架台１の幅方向Ｗに沿った斜材２５と、太陽光パネル用架台１の奥行き方向Ｄに沿った斜材２５とを配設することができるので、太陽光パネル用架台１全体の剛性を高めることができる。
【００３８】
（５）ファスナー部材１７は、支柱１２の下端部を囲い込む支柱囲繞壁部２７と、基礎に固定するためのボルト２８が挿通されるボス部２９と、を有する。支柱囲繞壁部２７およびボス部２９の少なくとも一方に、取付ブラケット部３０が張り出して設けられ、取付ブラケット部３０には、太陽光パネル用架台１の構成部材を固定するためのボルト孔３３が形成される。
【００３９】
これにより、支柱囲繞壁部２７の内方に支柱１２の下端部を挿入し、支柱囲繞壁部２７と支柱１２の下端部とを固定することで、支柱１２の下端部とファスナー部材１７とを容易に固定することができる。
【００４０】
（６）取付ブラケット部３０は、斜材２５の下端部が固定される部位である。
【００４１】
これにより、取付ブラケット部３０に斜材２５の下端部を固定することで、斜材２５の下端部とファスナー部材１７とを容易に固定することができる。
【００４２】
（７）取付ブラケット部３０は、ファスナー部材１７に複数設けられ、複数の取付ブラケット部３０のうちの少なくとも２つの取付ブラケット部３０は、互いに直交する方向に配置される。
【００４３】
これにより、一方の取付ブラケット部３０に沿った方向と、この取付ブラケット部３０に直交する方向に配置される他方の取付ブラケット部３０に沿った方向との２方向に沿って斜材２５を配設することができる。これによって、例えば、太陽光パネル用架台１の幅方向Ｗに沿った斜材２５と、太陽光パネル用架台１の奥行き方向Ｄに沿った斜材２５とを配設することができるので、太陽光パネル用架台１全体の剛性を高めることができる。
【００４４】
（８）垂木受け１１、支柱１２、斜材２５、ガセットプレート１６およびファスナー部材１７は、アルミニウム合金製の押出形材からなる。
【００４５】
これにより、これらの各部材を鋼材からなるものとした場合と比較すると、太陽光パネル用架台１全体を軽量化することが可能になる。また、これらの各部材の寸法精度を高めることができ、太陽光パネル用架台１の設置を容易かつ正確に行うことができると共に、優れた耐食性および外観を得ることができる。さらに、長尺の部材を比較的低コストで製造することができるため、製造コストを低減することができると共に、アルミニウム合金はリサイクル性に比較的優れているため、太陽光パネル用架台１の撤去後に材料を再利用することができる。
【００４６】
ところで、本発明の太陽光パネル用架台は前述の実施形態に例をとって説明したが、この実施形態に限ることなく本発明の要旨を逸脱しない範囲で他の実施形態を各種採用することができる。例えば、連結部材３４を介することなく、ガセットプレート１６およびファスナー部材１７を斜材２５の厚肉部３５に直接固定するようにしてもよい。
【符号の説明】
【００４７】
１  太陽光パネル用架台
１１  フレーム部材（垂木受け）
１２  支柱
１６  第一固定部材（ガセットプレート）
１７  第二固定部材（ファスナー部材）
１９  通しボルト
２０  Ｔ型ガセットプレート
２１  平板部
２２  突出板部
２３  ボルト孔
２４  ボルト孔
２５  斜材
２６  ボルト
２７  支柱囲繞壁部
２９  ボス部
３０  取付ブラケット部
３４  連結部材
３５  厚肉部
３６  ボルト孔
３７  ボルト
３８  第一ボス部
３９  第二ボス部
【図１】
0006514536.tif 000002
【図２】
0006514536.tif 000003
【図３】
0006514536.tif 000004
【図４】
0006514536.tif 000005
【図５】
0006514536.tif 000006
【図６】
0006514536.tif 000007
【図７】
0006514536.tif 000008